(57)【特許請求の範囲】
【請求項１】
少なくとも１つ以上の筐体と、
前記筐体内に設けられるコネクタと、
前記筐体の一部に設けられるコネクタの接続口に開閉可能に装着されるキャップと、
キャップの一部に設けられ、このキャップを前記筐体に係合させる係合脚部と、
コネクタの接続口の周縁に設けられる係止穴から挿入された係合脚部を係止する係止部材とを備え、
前記係止部材には係止突起が設けられ、キャップの閉状態で前記筐体の一部に設けられた開口部から挿入されて係止穴から挿入された係合脚部が係止突起に遊嵌状態で挟持される一方、
キャップの開状態で、係合脚部の先端に設けられた係合端部が係止突起に係止され、係止穴からの係合脚部の離脱が拘束されることを特徴とする携帯電話機。
【請求項２】
少なくとも１つ以上の筐体と、
ＩＣカードを挿抜するカード格納スロットと、
カード格納スロットの挿入口に開閉可能に装着されるキャップと、
キャップの一部に設けられ、このキャップを前記筐体に係合させる係合脚部と、
カード格納スロットの挿入口の周縁に設けられる係止穴から挿入された係合脚部を係止する係止部材とを備え、
前記係止部材には係止突起が設けられ、キャップの閉状態で前記筐体の一部に設けられた開口部から挿入されて係止穴から挿入された係合脚部が係止突起に遊嵌状態で挟持される一方、
キャップの開状態で、係合脚部の先端に設けられた係合端部が係止突起に係止され、係止穴からの係合脚部の離脱が拘束されることを特徴とする携帯電話機。
【請求項３】
係止穴の径は、前記係合端部の最大径よりも大きいことを特徴とする請求項１又は請求項２に記載の携帯電話機。
【請求項４】
前記係止突起は、略Ｕ字形状または凹形状を有し、略Ｕ字形状または凹形状を有する前記係止突起の開口の径は、前記係合脚部の最大径よりも大きく、前記係合端部の最大径よりも小さいことを特徴とする請求項１又は請求項２に記載の携帯電話機。
【請求項５】
係止穴に挿入された前記係合脚部は、キャップの開状態で回転可能であることを特徴とする請求項１又は請求項２に記載の携帯電話機。
【発明の詳細な説明】
【技術分野】
【０００１】
本発明は携帯電話機に係り、特に、携帯電話機に装着されるキャップの抜け落ちを防止することができるようにした携帯電話機に関する。
【背景技術】
【０００２】
近年、情報処理装置としての携帯電話機には、単なる音声通話による通信機能だけでなく、アドレス帳機能、カメラ機能、基地局やインターネットなどのネットワークを介したメール機能や、Ｗｅｂページなどを閲覧することが可能なブラウザ機能などの種々の機能が搭載されるようになってきている。これに伴い、携帯電話機にて取得された種々のデータを外部メモリとしてのメモリカードに記憶させて保存することが一般的になっており、携帯電話機には、このメモリカードを挿抜可能なメモリカード格納スロットが設けられる。
【０００３】
携帯電話機には、このメモリカード格納スロット以外にも、充電器やイヤホンとの接続用のコネクタや、データ通信用のコネクタなどが設けられており、これらのスロットやコネクタの不使用時にスロットやコネクタが外部に露出することを防止するために、スロットキャップやコネクタキャップがそれぞれ設けられている。
【０００４】
スロットキャップやコネクタキャップは、一般的に、携帯電話機の筐体に例えば樹脂部材などを用いて支持されているが、これらのキャップを強く引っ張ると、樹脂部材などが引っ張り応力に耐え切れずに途中で切れて破損してしまったり、あるいは、樹脂部材自体が筐体から取れてしまい、その結果、これらのキャップが携帯電話機から抜け落ちてしまう。
【０００５】
そこで、これらのキャップの抜け落ち防止に関する技術として、コネクタキャップを筐体に係合させる係合手段と、コネクタキャップの一部に設けられ、筐体からコネクタキャップが抜け出すことを防止する防止手段が備えられ、外部から強く引っ張ってもコネクタキャップが外れて抜けることがないようにする技術が提案されている（例えば特許文献１参照）。
【特許文献１】特開２００２−３５２８９９号公報
【発明の開示】
【発明が解決しようとする課題】
【０００６】
しかしながら、特許文献１に提案されている技術では、確かに外部から強く引っ張ってもコネクタキャップが外れて抜けることがないようにすることはできるが、例えばユーザがより強い引っ張り応力でこれらのキャップを引っ張ることも考えられ、これらのキャップが携帯電話機から抜け落ちてしまう場合も考えられる。これらのキャップの装着は携帯電話機の最終組み立て工程で行われることから、携帯電話機からキャップが一旦抜け落ちてしまうと、携帯電話機を再度分解して組み立て直す必要があり、キャップ交換時やキャップ修理時における手間が多くかかってしまうという課題があった。
【０００７】
本発明は、このような状況に鑑みてなされたものであり、携帯電話機に装着されるキャップの抜け落ちを好適に防止しつつ、キャップ交換時などにおける手間を好適に省くことができる携帯電話機を提供することを目的とする。
【課題を解決するための手段】
【０００８】
本発明の携帯電話機は、上述した課題を解決するために、少なくとも１つ以上の筐体と、筐体内に設けられるコネクタと、筐体の一部に設けられるコネクタの接続口に開閉可能に装着されるキャップと、キャップの一部に設けられ、このキャップを筐体に係合させる係合脚部と、コネクタの接続口の周縁に設けられる係止穴から挿入された係合脚部を係止する係止部材とを備え、係止部材には係止突起が設けられ、キャップの閉状態で筐体の一部に設けられた開口部から挿入されて係止穴から挿入された係合脚部は係止突起に遊嵌状態で挟持される一方、キャップの開状態で、係合脚部の先端に設けられた係合端部が係止突起に係止され、係止穴からの係合脚部の離脱が拘束される。
【０００９】
本発明の携帯電話機は、上述した課題を解決するために、少なくとも１つ以上の筐体と、ＩＣカードを挿抜するカード格納スロットと、カード格納スロットの挿入口に開閉可能に装着されるキャップと、キャップの一部に設けられ、このキャップを筐体に係合させる係合脚部と、カード格納スロットの挿入口の周縁に設けられる係止穴から挿入された係合脚部を係止する係止部材とを備え、係止部材には係止突起が設けられ、キャップの閉状態で筐体の一部に設けられた開口部から挿入されて係止穴から挿入された係合脚部は係止突起に遊嵌状態で挟持される一方、キャップの開状態で、係合脚部の先端に設けられた係合端部が係止突起に係止され、係止穴からの係合脚部の離脱が拘束されることを特徴とする。
【発明の効果】
【００１０】
本発明によれば、携帯電話機に装着されるキャップの抜け落ちを好適に防止しつつ、キャップ交換時などにおける手間を省くことができる。
【発明を実施するための最良の形態】
【００１１】
以下、本発明の実施の形態について、図面を参照しながら説明する。
【００１２】
図１は、本発明に係る携帯電話機１の筐体１１の外観斜視図を表している。図１の筐体１１は、折り畳み式の携帯電話機１を構成する下部筐体（操作キーなどが配置された基板側の筐体）と上部筐体（メインディスプレイが設けられた筐体）のうち、下部筐体を示している。勿論、本発明は、携帯電話機１の筐体であれば下部筐体であろうと上部筐体であろうと適用することが可能である。
【００１３】
図１に示されるように、携帯電話機１の筐体１１内には、充電器やイヤホンとの接続用のコネクタ（図２のコネクタ１５）などが設けられており、これらのコネクタの不使用時にコネクタが外部に露出することを防止するために、キャップ１２（コネクタキャップ）が設けられている。このキャップ１２は、筐体１１の側面の一部に設けられるコネクタ（図２のコネクタ１５）の接続口に、開閉可能に装着される。図１の場合、キャップ１２の状態は、筐体１１のコネクタの接続口に装着されて閉じた状態となっている。
【００１４】
筐体１１のコネクタの接続口の近傍には、図１のようにキャップ１２がコネクタの接続口に完全に装着された後に、キャップ１２を筐体１１から取り外す際にユーザが指などを挿入するために用いられるキャップ取り外し用穴１３が設けられている。このキャップ１２を筐体１１から取り外す際には、ユーザは、指などをこのキャップ取り外し用穴１３に挿入した上で、キャップ１２を矢印Ｍの方向に引っ張り出すことで、例えばコネクタ１５を利用するために筐体１１に装着されたキャップ１２を適宜取り外すことが可能である。
【００１５】
なお、携帯電話機１の筐体１１には、メモリカードなどのＩＣカードのカード格納スロット（図示せぬ）なども設けられており、スロットの不使用時にスロットが外部に露出することを防止するために設けられたスロットキャップに関して、本発明を適用するようにしてもよい。
【００１６】
図２は、図１の携帯電話機１の筐体１１にキャップ１２を装着する場合の分解斜視図を表している。図２を用いて、筐体１１にキャップ１２を装着する装着方法について説明する。なお、図３は、図２の分解斜視図の拡大図を表している。
【００１７】
図２に示されるように、キャップ１２は、筐体１１の側面の一部に設けられたコネクタ１５の接続口に、図２の矢印Ｙの方向から開閉可能に装着される。このキャップ１２のうちの、コネクタ１５の接続口に対向する側の側面の一部には、キャップ１２を筐体１１に係合させる略棒状の係合脚部１６が設けられている。この係合脚部１６の先端には、例えば帽子状（ヘッド形状）の係合端部１７が設けられており、係合端部１７の最大径は係合脚部１６の最大径より大きめに構成されている。なお、この係合端部１７の形状は、帽子形状に限られず、少なくとも係合端部１７のいずれかの位置で、係合端部１７の最大径が係合脚部１６の最大径よりも大きめに構成されていればよく、その他の形状にするようにしてもよい。なお、この係合端部１７は、例えば可堯性を有する合成樹脂やゴムなどにより構成してもよいし、プラスチックなどの他の材質により構成するようにしてもよい。
【００１８】
一方、コネクタ１５の接続口の周縁には、キャップ１２を筐体１１に係止する際に用いられる係止穴Ｐが設けられている。そして、図３に示されるように、キャップ１２がコネクタ１５の接続口に矢印Ｙ方向から装着される場合、キャップ１２に設けられた係合脚部１６が、係止穴Ｐに挿入される。なお、係止穴Ｐの径は、キャップ１２の係合脚部１６の先端の係合端部１７の最大径よりもさらに大きめに構成されており、キャップ１２の係合脚部１６および係合端部１７を係止穴Ｐに挿抜することが可能である。係止穴Ｐから挿入された係合脚部１６は、矢印Ｙの挿入方向から見て係止穴Ｐの後方に形成される係止空間Ｒ内に収納される。
【００１９】
図２および図３に示されるように、筐体１１の係止空間Ｒの一部には、開口部Ｑが設けられている。キャップ１２に設けられた係合脚部１６が係止穴Ｐに挿入された後、この開口部Ｑには、係止穴Ｐから挿入されたキャップ１２の係合脚部１６を係止する係止部材１４が、矢印Ｚ方向から挿入される。この係止部材１４には、略Ｕ字形状または凹形状を有する係止突起１８が設けられており、係止部材１４が開口部Ｑから挿入される場合、この係止突起１８が係止空間Ｒ内に挿入される。このとき、すでに係止穴Ｐから挿入され、係止空間Ｒに収納されている係合脚部１６は、開口部Ｑから挿入された係止部材１４の係止突起１８に遊嵌状態で挟持される。なお、係止部材１４の一部には、図１のように係止部材１４が開口部Ｑに完全に装着された後に、係止部材１４を取り外すために用いられる取り外し用ピン（図示せず）の先端を外部から挿入することができるように、係止部材取り外し用穴１９が設けられている。このように、本発明においては、携帯電話機１の本体の組立てとは別に、キャップ１２の装着（または離脱）を行うことができる。
【００２０】
図４は、キャップ１２および係止部材１４が筐体１１に装着された場合における、図１のＸ−Ｘ´線上における拡大断面図を表している。図４に示されるように、前もって係止穴Ｐから挿入され、係止空間Ｒに収納されている係合脚部１６は、開口部Ｑから挿入された係止部材１４の係止突起１８に遊嵌状態で挟持される。このとき、係合脚部１６の径（最大径）はＬ１であり、略Ｕ字形状または凹形状を有する係止突起１８の開口の径（最大径）はＬ１よりも幾分大きいＬ２であり、係合脚部１６は多少の遊びを持った上で係止突起１８に挟持される。一方、係止空間Ｒのより奥行き方向に収納されている係合端部１７の径（最大径）は、係止突起１８の開口の径であるＬ２よりもさらに大きいＬ３である。
【００２１】
そのため、このキャップ１２を筐体１１から取り外す際には、図１に示されるように、ユーザは、指などをこのキャップ取り外し用穴１３に挿入した上で、キャップ１２を矢印Ｍの方向に引っ張り出すことで、例えばコネクタ１５を利用するために筐体１１に装着されたキャップ１２を取り外すが、このときキャップ１２の開状態で、係合脚部１６の先端に設けられた係合端部１７の最大径を有する部分が係止突起１８に引っ掛かり、その結果、係合端部１７が係止突起１８に係止され、係止穴Ｐからの係合脚部１６の離脱が拘束されることになる。これにより、キャップ１２の開状態でキャップ１２の筐体１１からの抜け落ちを好適に防止することができる。
【００２２】
また、キャップ１２の開状態においても、係合脚部１６は、開口部Ｑから挿入された係止部材１４の係止突起１８に遊嵌状態で挟持されていることから、例えばコネクタ１５を利用する場合、図５に示されるように、キャップ１２が筐体１１から抜け落ちないようすると同時に、係止穴Ｐに挿入された係合脚部１６を回転中心として矢印Ｎ方向に最大略３６０度まで回転させることができる。これにより、コネクタ１５の利用時に、筐体１１に内蔵されたコネクタ１５を外部にユーザの利用しやすいように露出させることができる。従って、コネクタ１５などの利用時の利便性を向上させることができる。
【００２３】
本発明の実施形態においては、少なくとも１つ以上の筐体１１と、筐体１１内に設けられるコネクタ１５と、筐体１１の一部に設けられるコネクタ１５の接続口に、開閉可能に装着されるキャップ１２と、キャップ１２の一部に設けられ、このキャップ１２を筐体１１に係合させる係合脚部１６と、コネクタ１５の接続口の周縁に設けられる係止穴Ｐから挿入された係合脚部１６を係止する係止部材１４とを備え、係止部材１４には係止突起１８が設けられ、この係止突起１８は筐体１１の一部に設けられた開口部Ｑから挿入され、係止穴Ｐから挿入された係合脚部１６は係止突起１８に遊嵌状態で挟持されるとともに、キャップ１２の開状態で、係合脚部１６の先端に設けられた係合端部１７が係止突起１８に係止され、係止穴Ｐからの係合脚部１６の離脱が拘束されることができる。
【００２４】
これにより、例えばユーザが過度に強い引っ張り応力でこれらのキャップ１２を引っ張るような場合であっても、キャップ１２が携帯電話機１から破損などで抜け落ちてしまうことを事前に防止することができる。また、従来のキャップ１２の取り付けなどは携帯電話機１の最終組み立て工程で行われることから、携帯電話機１からキャップ１２が一旦抜け落ちてしまうと、携帯電話機１を再度分解して組み立て直す必要があり、そのためにキャップ交換時やキャップ修理時における手間が多くかかってしまっていたが、本発明においては、キャップ交換時やキャップ修理時に、携帯電話機１の本体の組立てとは別にキャップ１２の装着と離脱を行うことが可能となるため、携帯電話機１の本体の分解を行う必要がなくなり、キャップ交換時やキャップ修理時における手間を大幅に削減することができる。従って、携帯電話機１に装着されるキャップ１２の抜け落ちを好適に防止しつつ、キャップ交換時などにおける手間を好適に省き、キャップ交換を容易にすることができる。
【００２５】
なお、図６に示されるように、係止部材１４に設けられる略Ｕ字状または凹状の係止突起１８は、係止空間Ｒの奥行き方向に、係止突起１８を支持するための係止突起支持部２０を設けるようにしてもよい。これにより、係止突起１８に強度を持たせることができ、キャップ１２の開状態において、ユーザが過度に強い引っ張り応力でこれらのキャップ１２を引っ張るような場合や継続的な使用がなされた場合であっても、係止突起１８の破壊や劣化などを防止することができる。
【００２６】
また、本発明の実施形態においては、略棒状の係合脚部１６を略Ｕ字状または略凹状の係止突起１８を用いて係止するようにしたが、このような場合に限られず、係合脚部１６を係止突起１８を係止することができさえすればよく、この２つの凹凸関係を逆にするようにしてもよい。
【００２７】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の情報処理装置にも適用することができる。
【図面の簡単な説明】
【００２８】
【図１】本発明に係る携帯電話機の筐体の外観斜視図。
【図２】図１の携帯電話機の筐体にキャップを装着する場合の分解斜視図。
【図３】図２の分解斜視図の拡大図。
【図４】キャップおよび係止部材が筐体に装着された場合における、図１のＸ−Ｘ´線上における拡大断面図。
【図５】キャップを開状態にした場合における、携帯電話機の分解斜視図の拡大図。
【図６】係止部材の他の外観を示す図。
【符号の説明】
【００２９】
１…携帯電話機、１１…筐体、１２…キャップ、１３…キャップ取り外し用穴、１４…係止部材、１５…コネクタ、１６…係合脚部、１７…係合端部、１８…係止突起、１９…係止部材取り外し用穴、２０…係止突起支持部。
【図１】
0004863978.tif 000002
【図２】
0004863978.tif 000003
【図３】
0004863978.tif 000004
【図４】
0004863978.tif 000005
【図５】
0004863978.tif 000006
【図６】
0004863978.tif 000007